(57)【要約】【課題】  ノイズの影響を極力小さくして原子炉の中性子レベルを正確に計測することができる原子力発電プラントの中性子計装システムを提供する。【解決手段】  貫通型の複数のフェライトコア２９Ａ，２９Ｂ，２９Ｃ，２９Ｄ及び／又は貫通型の複数のアモルファスコア３０Ａ，３０Ｂ，３０Ｃ，３０Ｄを前置増幅器８Ａ，８Ｂ，８Ｃ，８Ｄをシールドする金属の前置増幅器盤１９，２０内に設置し、中性子検出器３Ａ，３Ｂ，３Ｃ，３Ｄの出力を送信する同軸ケーブル４Ａ，４Ｂ，４Ｃ，４Ｄは貫通型の複数のフェライトコア２９Ａ，２９Ｂ，２９Ｃ，２９Ｄ及び／又は貫通型の複数のアモルファスコア３０Ａ，３０Ｂ，３０Ｃ，３０Ｄを貫通して前置増幅器８Ａ，８Ｂ，８Ｃ，８Ｄに接続する。【選択図】図１
2007078496.tif 000002
【特許請求の範囲】
【請求項１】
原子炉圧力容器に挿入された計装管に収納された中性子検出器と、該中性子検出器と同軸ケーブルによって接続され前記原子炉格納容器外に設置された前置増幅器とを備えた中性子計装システムであって、前記前置増幅器と前記中性子検出器の間を接続する前記同軸ケーブルの外側に貫通型の複数のフェライトコアかつ又は貫通型の複数のアモルファスコアを設け、該貫通型の複数のフェライトコアかつ又は貫通型の複数のアモルファスコア及び前記前置増幅器をシールドする金属の前置増幅器盤内に設置したことを特徴とする中性子計装システム。
【請求項２】
原子炉圧力容器に挿入された計装管に収納された中性子検出器と、該中性子検出器と同軸ケーブルによって接続され前記原子炉格納容器外に設置された前置増幅器と、該前置増幅器を収納する金属ケースの前置増幅器盤と、該前置増幅器盤内の前記同軸ケーブルの外側に貫通型の複数のフェライトコアかつ又は貫通型の複数のアモルファスコアを設けたことを特徴とする中性子計装システム。
【請求項３】
前記前置増幅器盤内に前記前置増幅器が２個設置されるものであって、一方の前置増幅器を中性子源領域モニタ用とし、他方の前置増幅器を同系統の中間領域モニタ用とした請求項１又は２に記載の中性子計装システム。
【発明の詳細な説明】
【技術分野】
【０００１】
本発明は、原子力発電プラントの中性子計装システムに関する。
【背景技術】
【０００２】
原子力発電プラントの中性子計装システムは、核分裂を開始する原子炉の起動状態から全出力までを計測できるようにするために、中性子源領域モニタ，中間領域モニタ，出力領域モニタ用の３種類の中性子検出器を設置している。又、最近では、中性子源領域モニタ及び中間領域モニタを一体化した起動領域中性子モニタが実用化されている。中性子源領域モニタ，中間領域モニタ、あるいは起動領域中性子モニタは原子炉に設置される中性子検出器からの非常に微弱な信号、例えばμＡオーダのパルス電流を増幅するために前置増幅器が必要であり、この前置増幅器は耐放射線性の観点から原子炉格納容器外に設置されている。
【０００３】
中性子検出器の検出信号は、原子炉の状態を反映する極めて重要な信号であり、その信号にノイズが乗ると、原子力発電プラントの適切な制御に支障を及ぼしかねない。
【０００４】
そのため、従来から種々のノイズ対策が行われている。例えば、〔特許文献１〕には、外来の電気的ノイズの侵入等があり、自乗平均計測の変動をきたすような異常がある場合は、その異常を検出・表示し、そのような異常があることを容易に判定できるようにした中性子測定装置が開示されている。しかし、〔特許文献１〕に記載の技術では、異常があることを判別できるが、ノイズを抑制することができないという問題がある。
【０００５】
〔特許文献２〕には、放射線検出器と前置増幅器の間に配置され、ケーブに混入するノイズを消去するようにケーブルが複数回巻き付けられる環状磁芯と、この環状磁芯に巻き付けられて近接したケーブル間に生じる浮遊容量を小さくするように、ケーブルを互いに離間させて配置させるケーブル配置部材を備えた放射線測定装置が開示されている。
【０００６】
【特許文献１】特開２００３−１４９３７８号公報
【特許文献２】特開平７−８４０８８号公報
【発明の開示】
【発明が解決しようとする課題】
【０００７】
近年、原子力発電プラントの中性子検出器の検出信号に、従来は見られなかったようなノイズが重畳する現象がしばしば観測されている。本発明者らは、中性子検出器の検出信号に含まれるノイズの原因について検討した。その結果、プラントの機能や性能の向上のために、近年進歩したディジタル化技術が原子力発電プラントに各種ディジタル装置として導入され、このディジタル装置は、装置自体や装置に接続されているケーブルから電磁ノイズを放射する、又、原子炉の制御や保護のために原子炉格納容器内に多数設置されているモータ，ポンプ，電磁弁などの各種電磁機器を運転制御するための駆動信号が中性子検出信号に重畳するノイズに関係していることを見出した。
【０００８】
すなわち、原子力プラントに多数のディジタル装置が設置されるようになってきているために、電磁ノイズのバックグランドレベルが高くなってきている。このために、検出器ケーブル４Ａ，４Ｂに誘導されるバックグランドノイズのレベルも上がり、このような環境下において動力ケーブル１３から放射される電磁ノイズが検出器ケーブル４Ａ，４Ｂに誘導されるために、中性子監視装置１１Ａ，１１Ｂの指示変動の可能性がより高くなってきていることが、本発明者らの検討により判明した。
【０００９】
この電磁ノイズの誘導は、コモンモードノイズが主体であり、〔特許文献２〕に記載の技術では、このコモンモードノイズを抑制するため、前置増幅器の入力段にコモンモードチョークコイルを設置している。
【００１０】
〔特許文献２〕の技術では、磁気コアに同軸ケーブルを複数巻き付ける、いわゆる巻装であるため、巻装した同軸ケーブル間の距離が短くなると線間の浮遊容量により巻装された磁気コアのインピーダンスが低下するという問題があり、これを防止するために、磁気コア内部に棒状スペーサを、外部に放射状スペーサを設置して、同軸ケーブル間の距離が短くならないようにしている。
【００１１】
しかし、磁気コアの内側は外側より空間が狭く、巻装した同軸ケーブル間の距離が短くなってしまい、巻装された磁気コアのインピーダンス低下は避けられない。すなわち、磁気コアに同軸ケーブルを複数回巻きつけると、理想的には巻き数の２乗に比例したインピーダンスが得られるがが、現実的には巻装することによって発生する同軸ケーブルの線間浮遊容量により１００ＫＨｚから１０ＭＨｚの高周波に対して高いインピーダンスを得ることができない。
【００１２】
これを防止するためには、磁気コアの内径を大きくする必要があるが、その場合には磁気コアが大きくなってしまうという問題が生じる。又、同軸ケーブルは耐ノイズ性の観点から、例えば３重シールドのように、シールドが強化されており、曲げにくい構造になっている。このために、磁気コアに同軸ケーブルを巻装させようとすると、その曲げ半径が大きくなり、これら全体をシールドする盤が大きなものになってしまい、設置スペースの確保が難しいいう問題もある。
【００１３】
本発明は、原子炉の中性子レベルを正確に計測することのできる原子力発電プラントを提供することを目的とする。
【課題を解決するための手段】
【００１４】
上記目的を達成するために、本発明は、原子炉圧力容器に挿入された計装管に収納された中性子検出器の出力が、直流高電圧が印加されている同軸ケーブルによって前記原子炉格納容器外に設置された前置増幅器に入力される中性子計装システムであって、該前置増幅器と前記中性子検出器の間に設置され、かつ前置増幅器をシールドする金属の前置増幅器盤内に設置する貫通型の複数のフェライトコア及び／又は貫通型の複数のアモルファスコアであって、貫通型の複数のフェライトコアかつ又は貫通型の複数のアモルファスコアに前記同軸ケーブルを貫通させるように構成したものである。
【発明の効果】
【００１５】
本発明によれば、金属の前置増幅器盤内で貫通型の複数のフェライトコア及び／又は貫通型の複数のアモルファスコアに中性子検出器出力の同軸ケーブルを貫通させることにより得られるインダクタンスにより、電磁機器の駆動によって生じる高周波電磁ノイズによって中性子検出器出力の同軸ケーブルに重畳されるコモンモードノイズを抑制させることが可能になり、中性子計装システムへの電磁ノイズ影響を十分に抑制し、指示変動の発生可能性を低減できる。
【発明を実施するための最良の形態】
【００１６】
本発明の一実施形態を図１から図５により説明する。
【００１７】
図１，図２は、本実施例の原子力発電プラントの中性子計装システムの概略構成図である。中性子検出器３Ａ，３Ｂ…は、原子炉圧力容器１内に挿入された計装管２Ａ，２Ｂ…に収納されている。中性子検出器３Ａ，３Ｂ…には、中性子源領域モニタ，中間領域モニタ，起動領域中性子モニタ用の３種類があり、原子炉内の熱中性子による電離作用によって微弱電流を発生させる。この微弱電流信号は、原子炉格納容器５の外に設置した前置増幅器８Ａ，８Ｂ…により増幅されて原子炉出力信号を得る。中性子検出器３Ａ，３Ｂ…と前置増幅器８Ａ，８Ｂ…間は、同軸ケーブル（検出器ケーブルともいう）４Ａ，４Ｂ…によって接続される。ここで、中性子検出器，前置増幅器等は、複数設置されるが、説明を簡略化するため、図１では２個の場合を図示し、図２では４個の場合を図示して説明する。
【００１８】
図１に示すように、計装管２Ａ，２Ｂの下端にはコネクタ４１Ａ，４１Ｂが取り付けられており、保守時等には同軸ケーブル４Ａ，４Ｂが取り外し可能となっている。同軸ケーブル４Ａ，４Ｂは、原子炉格納容器５を貫通するケーブルペネトレーション６Ａ，６Ｂ、すなわち、原子炉格納容器５の内外にケーブルを通すための原子炉格納容器５の貫通孔を通り、原子炉建屋９内に設置される前置増幅器８Ａ，８Ｂに接続される。前置増幅器８Ａ，８Ｂは前置増幅器盤１９に収納されている。これら同軸ケーブル４Ａ，４Ｂは、電線管７Ａ，７Ｂ内に敷設されており、前置増幅器８Ａ，８Ｂの出力信号は、電線管７Ａ，７Ｂ内に設置されている図示していない同軸ケーブルにより制御建屋１０内の中性子監視装置１１Ａ，１１Ｂに入力される。
【００１９】
原子炉格納容器５内には、原子炉の制御や保護ためのモータ，ポンプや電磁弁などの各種電磁機器が多数設置されており、これら電磁機器は、交流電源や直流電源の供給によって駆動される。図１では、電磁機器として交流電源で駆動されるポンプ１２を示している。このポンプ１２には動力ケーブル１３が接続されており、動力ケーブル１３はケーブルペネトレーション６Ｃを通り、スイッチ装置１５に接続されている。図１では、動力ケーブル１３は電線管７Ｃ内に敷設されているが、必ずこのようになっている訳ではなく、電線管７Ｃより金属部分が薄い可撓電線管内に敷設されたり、電線管７Ｃが設けられていなかったりする。逆に、動力ケーブルが全て電線管７Ｃや可撓電線管に入っている場合もある。
【００２０】
スイッチ装置１５はリレーやコンタクタで構成されるが、図１ではコンタクタ１４１の場合を示している。コンタクタ１４１のオン・オフで、電源１６からポンプ１２への電源供給が制御される。その駆動指令は、制御建屋１０内の操作盤１８上の操作スイッチ１７によって与えられる。図１ではスイッチ装置１５は原子炉建屋９内に設置される場合を示しているが、制御建屋１０内に設置される場合もある。
【００２１】
図５に示すように、ポンプ１２に操作スイッチ１７の駆動信号５２により、ポンプ１２に電源１６の交流電圧５１が印加されるが、開閉素子がコンタクタ１４１である場合には、コンタクタ１４１がオンする時或いはオフする時に、接点の機械的なチャタリングにより、オン・オフをわずかな時間であるが繰り返すため、ノイズ電流５３が発生する。この現象は、開閉素子にリレーを用いた場合も同様である。
【００２２】
このノイズ電流は動力ケーブル１３を伝達し、原子炉格納容器５内で動力ケーブル１３から電磁ノイズが空間に放射される。このノイズ電流の周波数は、コンタクタ部分の配線のインダクタンスや抵抗，コンタクタ接点間の浮遊容量などで決まる高周波の電磁ノイズであり、実測した結果、１００ＫＨｚ前後から数十ＭＨｚの範囲で生じていた。動力ケーブル１３が全て電線管７Ｃ内に敷設されていても、電磁機器のフレームから高周波の電磁ノイズが空間に放射される。電磁機器が特にポンプやモータである場合には、巻き線とフレーム間の浮遊容量を介して高周波の電磁ノイズがフレームから放射される。
【００２３】
保守時等にコネクタ４１Ａ，４１Ｂのところで検出器ケーブル４Ａ，４Ｂを取り外し可能とするため等の理由により、原子炉圧力容器１の下部では検出器ケーブル４Ａ，４Ｂは電線管７Ａ，７Ｂ内に収納されていない状態となっている。このために、動力ケーブル
１３やポンプ１２のフレームから放射される電磁ノイズが検出器ケーブル４Ａ，４Ｂに誘導されることになる。前置増幅器８Ａ，８ＢはμＡオーダのパルス電流を増幅するが、その増幅度は１０００倍から１万倍と非常に高く、かつ周波数範囲が数百ＫＨｚから数十
ＭＨｚの範囲であり、高利得かつ広帯域になっている。検出器ケーブル４Ａ，４Ｂに誘導された電磁ノイズの周波数が１００ＫＨｚ前後から数十ＭＨｚの範囲であるため、この電磁ノイズを前置増幅器で増幅し、中性子監視装置１１Ａ，１１Ｂに入力させてしまうことになる。この結果、中性子監視装置１１Ａ，１１Ｂはポンプ１２の駆動時や停止時に指示変動を発生する可能性がある。
【００２４】
前置増幅器盤１９，２０から中性子監視装置１１Ａ，１１Ｂ，１１Ｃ，１１Ｄまでの構成について、図２を用いて詳細に説明する。
【００２５】
中性子検出器３Ａ，３Ｂ，３Ｃ，３Ｄの出力信号は同軸ケーブル４Ａ，４Ｂ，４Ｃ，
４Ｄにより前置増幅器８Ａ，８Ｂ，８Ｃ，８Ｄに入力される。中性子検出器３Ａ，３Ｂ，３Ｃ，３Ｄには、中性子検出器の出力（原子炉出力に対応）である電離電流を効率的に取り出すために、中性子監視装置１１Ａ，１１Ｂ，１１Ｃ，１１Ｄ内に設けられた高圧電源２６Ａ，２６Ｂ，２６Ｃ，２６Ｄから同軸ケーブル２３Ａ，２３Ｂ，２３Ｃ，２３Ｄ、前置増幅器８Ａ，８Ｂ，８Ｃ，８Ｄの入力段を介して１００Ｖ程度の直流高電圧が印加されている。
【００２６】
このように、直流高電圧が印加されている同軸ケーブル４Ａ，４Ｂ，４Ｃ，４Ｄは、前置増幅器盤１９，２０に設置され、貫通型の複数のフェライトコア２９Ａ,２９Ｂ,２９Ｃ，２９Ｄ及び貫通型の複数のアモルファスコア３０Ａ，３０Ｂ，３０Ｃ，３０Ｄを貫通して前置増幅器８Ａ，８Ｂ，８Ｃ，８Ｄに接続されている。前置増幅器盤１９，２０は電磁シールドのために金属ケースで形成しており、前置増幅器盤１９，２０内に電磁ノイズが誘導されないようにしている。又、前置増幅回路２２Ａ，２２Ｂ，２２Ｃ，２２Ｄの入力段には、コンデンサ２１Ａ，２１Ｂ，２１Ｃ，２１Ｄを設けて、直流高電圧が前置増幅回路２２Ａ，２２Ｂ，２２Ｃ，２２Ｄに印加されて回路が故障することがないようにしている。
【００２７】
前置増幅回路２２Ａ，２２Ｂ，２２Ｃ，２２Ｄは、中性子検出器３Ａ，３Ｂ，３Ｃ，
３Ｄの出力信号を増幅し同軸ケーブル２４Ａ，２４Ｂ，２４Ｃ，２４Ｄを介して中性子監視装置１１Ａ，１１Ｂ，１１Ｃ，１１Ｄ内の信号処理装置２７Ａ，２７Ｂ,２７Ｃ,２７Ｄに出力する。中性子監視装置１１Ａ，１１Ｂ，１１Ｃ，１１Ｄ内に設けられる低圧電源
２８Ａ，２８Ｂ，２８Ｃ，２８Ｄは、前置増幅回路２２Ａ，２２Ｂ，２２Ｃ，２２Ｄに回路駆動電圧を印加するためのものであり、同軸ケーブル２５Ａ，２５Ｂ，２５Ｃ，２５Ｄを用いてノイズ影響を低減させている。
【００２８】
又、同軸ケーブル４Ａ，４Ｂ，４Ｃ，４Ｄが、前置増幅器盤１９，２０に設置される貫通型の複数のフェライトコア２９Ａ，２９Ｂ，２９Ｃ，２９Ｄ及び貫通型の複数のアモルファスコア３０Ａ，３０Ｂ，３０Ｃ，３０Ｄを貫通して設置されているので、同軸ケーブル４Ａ，４Ｂ，４Ｃ，４Ｄに重畳する高周波のコモンモードノイズに対して高いインピーダンスを得ることができ、１００ＫＨｚから１０ＭＨｚ程度の高周波に対しても高いインピーダンスを得ることができる。
【００２９】
中性子源領域モニタ，中間領域モニタ，起動領域中性子モニタは中性子検出器の出力信号の周波数範囲が数百ＫＨｚから数十ＭＨｚまであり、夫々の前置増幅器は高利得かつ広帯域になっている。従って、原子炉格納容器内に設置されている電磁機器の起動や停止によって、原子炉格納容器内の動力ケーブルあるいはポンプ等の電磁機器から放射される電磁ノイズが原子炉格納容器内の同軸ケーブル４Ａ，４Ｂ，４Ｃ，４Ｄにコモンモードノイズとして重畳し、その周波数が中性子源領域モニタ，中間領域モニタ，起動領域中性子モニタの中性子検出器の出力信号の周波数範囲と同一であっても、貫通型のフェライトコア２９Ａ，２９Ｂ，２９Ｃ，２９Ｄ及び貫通型アモルファスコア３０Ａ，３０Ｂ，３０Ｃ，３０Ｄを複数設置しているので、これらのコモンモードノイズに対するインピーダンスが高いために、前置増幅回路２２Ａ，２２Ｂ，２２Ｃ，２２Ｄにノイズ混入を十分抑制できる。又、数百ＫＨｚから数十ＭＨｚのコモンモードノイズを十分に抑制でき、中性子計装システムへのノイズ影響を十分に抑制できる。
【００３０】
又、アモルファスコアは飽和磁束密度がフェライトコアより高いために、インダクタンスを高くでき、高周波に対するインピーダンスを高くできる利点があり、アモルファスコアを用いる方が良いが、図３に示すように、アモルファスコアの直流重畳特性がフェライトコアに比べて一定でなく、直流重畳電流が大きくなるに従ってインダクタンスが低下するように変化するため、アモルファスコアの直流重畳特性は直流重畳電流が大きくなるに従って低下する。この結果、直流重畳電流が低い時にはアモルファスコアのインダクタンスがフェライトコアのインダクタンスより高くなる。
【００３１】
図２に示すように、フェライトコア２９Ａ，２９Ｂ，２９Ｃ，２９Ｄ及びアモルファスコア３０Ａ，３０Ｂ，３０Ｃ，３０Ｄには高圧電源２６Ａ，２６Ｂ，２６Ｃ，２６Ｄの直流高圧が印加される同軸ケーブル４Ａ，４Ｂ，４Ｃ，４Ｄに取り付けているために、フェライトコア２９Ａ，２９Ｂ，２９Ｃ，２９Ｄ及びアモルファスコア３０Ａ,３０Ｂ,３０Ｃ，３０Ｄに直流重畳電流が流れることになるが、中性子検出器の特性上、この電流は非常に小さいために、アモルファスコアを利用する方がコモンモードノイズの抑制効果が高い。
【００３２】
しかし、中性子検出器からの出力信号による直流重畳特性を考慮すると、原子炉出力が高くなるに従い中性子検出器からの出力信号レベルが高くなるため、この場合にはアモルファスコアよりフェライトコアの方がコモンモードノイズの抑制効果が高くなる可能性がある。
【００３３】
本実施例では、原子炉の出力過程を考慮し、図１に示すように貫通型のフェライトコア２９Ａ，２９Ｂ，２９Ｃ，２９Ｄ及び貫通型アモルファスコア３０Ａ，３０Ｂ，３０Ｃ，３０Ｄをそれぞれ複数個設けているので、直流重畳電流が低い時でも直流重畳電流が高くなってもコモンモードノイズの抑制効果を高くできる。
【００３４】
なお、フェライトコアだけあるいはアモルファスコアだけの設置個数を多くしてコモンモードノイズに対して十分インピーダンスを得るようにして、コモンモードノイズの抑制効果を高くなるようにすることにより、貫通型のフェライトコア２９Ａ，２９Ｂ，２９Ｃ，２９Ｄだけを複数設置して構成しても良く、貫通型アモルファスコア３０Ａ，３０Ｂ，３０Ｃ，３０Ｄだけを複数設置して構成することもできる。フェライトコアは図３に示すように、直流重畳特性が比較的高い直流重畳電流まで一定であるために、飽和磁束密度が高ければ取り付けるフェライトコア個数を少なくできるので、スペース的にも小さくなり、施工性が良くなるため、飽和磁束密度が高いＭｎＺｎ系やＮｉＺｎ系のフェライトコアを使用するのが適している。
【００３５】
図４は、前置増幅器盤の構成を示す斜視図である。前置増幅器盤１９は金属ケースであり、これ自体が電磁シールドの機能を持っている。前置増幅器盤１９には、電線管７Ａ，７Ｂが固定され、前置増幅器盤１９内に設置された前置増幅器８Ａ，８Ｂの端子と電線管７Ａ，７Ｂ内の同軸ケーブル４Ａ，４Ｂが接続されている。同軸ケーブル４Ａ，４Ｂの外側には、貫通型のフェライトコア２９Ａ，２９Ｂ及び貫通型アモルファスコア３０Ａ，
３０Ｂがそれぞれ複数個設けられ、上述したように、同軸ケーブル４Ａ，４Ｂは電磁ノイズが重畳されないようになっている。
【００３６】
前置増幅器８Ａ，８Ｂの残りの３端子には、上述した同軸ケーブル２３Ａ，２３Ｂ，
２４Ａ，２４Ｂ，２５Ａ，２５Ｂが接続され、電線管７Ａ，７Ｂ内に収納されている。
【００３７】
図１で説明したように、原子炉格納容器内の動力ケーブルあるいはポンプ等の電磁機器から放射される電磁ノイズは電線管７Ａ，７Ｂに覆われていない原子炉圧力容器１の下部あたりで同軸ケーブル４Ａ，４Ｂに重畳するが、それ以外に、例えば電線管途中からもわずかであるが電磁ノイズが同軸ケーブルに重畳し、これらのノイズが合成され、全体のノイズレベルが高くなる可能性がある。このため、図４に示すように、同軸ケーブル４Ａ，４Ｂ途中にフェライトコア２９Ａ，２９Ｂ及びアモルファスコア３０Ａ，３０Ｂを設置し、全体を金属ケースで覆うことにより、コモンモードノイズを抑制する方が抑制効果を高くでき、微弱信号を処理する中性子計装システムの耐ノイズ性を高くできる。
【００３８】
又、図４に示す前置増幅器８Ａを中性子源領域モニタの前置増幅器とし、前置増幅器
８Ｂを中間領域モニタの前置増幅器とし、両前置増幅器を同一の系統の前置増幅器として前置増幅器盤１９内に設置することにより、万一、前置増幅器盤１９自体が電磁ノイズの影響を受けたとしても、その影響は該当する系統に限定でき、他系統に影響が及ばないため、スクラムに至る可能性をなくすことができるという効果がある。図示しない信号処理装置側を冗長化した構成とすることにより、よりスクラムに至る可能性をなくすことができる。
【００３９】
これに対し、図４に示す前置増幅器８Ａを系統１の中性子源領域モニタの前置増幅器とし、前置増幅器８Ｂを系統２の中性子源領域モニタの前置増幅器とし、両前置増幅器を前置増幅器盤１９内に設置するようにした場合は、万一、前置増幅器盤１９自体が電磁ノイズの影響を受けた場合は、同時に２系統の中性子源領域モニタにノイズの影響が発生し、確率的にはきわめて低いが誤スクラムを発生させる可能性がある。
【図面の簡単な説明】
【００４０】
【図１】本発明の一実施例である原子力発電プラントの中性子計装システムの全体構成図である。
【図２】中性子計装システムの一部の構成図である。
【図３】フェライトコア及びアモルファスコアの直流重畳特性図である。
【図４】前置増幅器盤の構成を示す斜視図である。
【図５】原子力発電プラントにおける電源の動作波形を示す図である。
【符号の説明】
【００４１】
１…原子炉圧力容器、２Ａ，２Ｂ…計装管、３Ａ，３Ｂ，３Ｃ，３Ｄ…中性子検出器、４Ａ，４Ｂ，４Ｃ，４Ｄ…同軸ケーブル、５…原子炉格納容器、６Ａ，６Ｂ，６Ｃ…ケーブルペネトレーション、７Ａ，７Ｂ，７Ｃ…電線管、８Ａ，８Ｂ，８Ｃ，８Ｄ…前置増幅器、１１Ａ，１１Ｂ…中性子監視装置、１９，２０…前置増幅器盤、２９Ａ，２９Ｂ，
２９Ｃ，２９Ｄ…フェライトコア、３０Ａ，３０Ｂ，３０Ｃ，３０Ｄ…アモルファスコア。
【図１】
2007078496.tif 000003
【図２】
2007078496.tif 000004
【図３】
2007078496.tif 000005
【図４】
2007078496.tif 000006
【図５】
2007078496.tif 000007